(57)【要約】【課題】固定金具の長手方向長さを適宜短尺にし、構成部材の簡略化、軽量化、組付容易化を図る。【解決手段】ソーラーパネルをハゼ式折板屋根上に取り付け固定するための固定金具であり、下端のハゼ部挟持部材10と、その上で移動可能なスライド部材20、40と、その上方の押え部材30、50とからなる。載置部14は、上面開口の横断面略コ字形状を成し、その上面に溝条部14mが形成され、この溝条部１４ｍを利用して、スライド部材20、40が長手方向に移動できる。ソーラーパネルの縁部をハゼ部挟持部材10の載置部14に載置し、スライド部材20を適宜位置に設定し、下方から挿通する螺子Ｂによって押え部材30、50を締着してパネルの縁部がハゼ部挟持部材10の載置部14と押え部材30、50の間で挟持され固定される。【選択図】図２
2015021376.tif 000002
【特許請求の範囲】
【請求項１】
ソーラーパネル等の面状物品をハゼ式折板屋根上に取り付け固定するための固定金具であって、
折板屋根の突条部及びハゼ部を両側から挟持する左右一対のハゼ部挟持部材(10, 10)と、これら左右一対のハゼ部挟持部材(10, 10)の上端部で、ハゼ部挟持部材(10, 10)の長手方向にその固定位置を変更できるスライド部材(20)と、このスライド部材(20)の上方に位置する面状物品の縁部を押圧、固定する押え部材(30)とからなり、
前記それぞれのハゼ部挟持部材(10)は、その下端の折板屋根の突条部に沿うように接合する基礎部(11)と、この基礎部(11)から上方に延長して折板屋根のハゼ部を抱持するハゼ部抱持部(12)と、このハゼ部抱持部(12)から上方に延長する起立部(13)と、この起立部(13)の上端に設けられた載置部(14)とから成り、前記起立部同士(13, 13)を接合し、螺子等の締着手段によってこれら左右のハゼ部挟持部材(10, 10)が相互に締着されて折板屋根に取り付け、固定され、
これにより、前記載置部(14, 14)は、上方開口の横断面略コ字形状を成し、その両側縁が内側方向に折曲して延長する上面部(14u, 14u)を形成し、これら上面部(14u, 14u)の間で長手方向に溝条部(14m)が形成され、
スライド部材(20)は、前記載置部(14, 14)の内部に配置される下方部材(20s)と載置部(14,14)の上面に位置する上方部材(20u)とから成り、これら下方部材(20s)と上方部材(20u)には前記載置部(14, 14)の溝条部(14m)を挿通するように配置された螺子が挿通しており、
これにより、ソーラーパネル等の面状物品の縁部を前記ハゼ部挟持部材(10, 10)の載置部(14, 14)に載置し、前記スライド部材(20)の下方部材(20s)と上方部材(20u)を挿通する螺子によって押え部材(30)を締着することにより、面状物品の縁部がハゼ部挟持部材(10, 10)の載置部(14, 14)と押え部材(30)との間で挟持され固定されることを特徴とするハゼ式折板屋根用の面状物品固定金具。
【請求項２】
前記ハゼ部挟持部材(10, 10)の載置部(14, 14)の上面部(14u, 14u)の両側縁が更に下方に折曲してそれぞれ下向延長部(14s, 14s)を形成し、
前記スライド部材(20)の下方部材(20s)は、上方開口の横断面略コ字形状を有し、両側の起立部(20ｋ, 20ｋ)が前記載置部(14, 14)の上面部(14u, 14u)に当接し、
前記スライド部材(20)の上方部材(20u)は、下向き開口の横断面略コ字形状を有し、この上方部材(20u)の両側面部(20v, 20v)は、前記ハゼ部挟持部(10)の長手方向と直交する方向に配置され、且つ、上方部材(20u)の両側面部(20v, 20v)の下縁にはそれぞれ２つの切欠部(20j, 20j)を設け、これらの切欠部(20j, 20j)がハゼ部挟持部(10, 10)の載置部(14, 14)の上面部(14u, 14u)と側面部と下向延長部(14s, 14s)に適合することを特徴とする請求項１に記載のハゼ式折板屋根用の面状物品固定金具。
【請求項３】
ソーラーパネル等の面状物品をハゼ式折板屋根上に取り付け固定するための固定金具であって、
折板屋根の突条部及びハゼ部を両側から挟持する左右一対のハゼ部挟持部材(10, 10)と、これら左右一対のハゼ部挟持部材(10, 10)の上端で、ハゼ部挟持部材(10, 10)の長手方向にその固定位置を変更できるスライド部材(40)と、このスライド部材(40)の上方に位置する面状物品の縁部を押圧、固定する押え部材(50)とからなり、
前記それぞれのハゼ部挟持部材(10)は、その下端の折板屋根の突条部に沿うように接合する基礎部(11)と、この基礎部(11)から上方に延長して折板屋根のハゼ部を抱持するハゼ部抱持部(12)と、このハゼ部抱持部(12)から上方に延長する起立部(13)と、この起立部(13)の上端に設けられた載置部(14)とから成り、前記起立部同士(13, 13)を接合し、螺子等の締着手段によってこれら左右のハゼ部挟持部材(10, 10)が相互に締着されて折板屋根に取り付け、固定され、
これにより、前記載置部(14, 14)は、上方開口の横断面略コ字形状を成し、その両側縁は内側方向に折曲して延長する上面部(14u, 14u)を形成し、更にこれら上面部(14u, 14u)の両側縁が下方に延長する下向延長部(14s, 14s)が形成され、上面長手方向に溝条部(14m)が形成され、
スライド部材(40)は、下向き開口の横断面略コ字形状を有し、このスライド部材(40)の両側面部(40s, 40s)は、前記ハゼ部挟持部材(10)の長手方向と直交する方向に配置され、且つ、これら両側面部(40s, 40s)の左右両側の縦方向の両側縁にはそれぞれ切欠部を(40k)設け、これらの切欠部(40k, 40k)に前記ハゼ部挟持部材(10)の載置部(14)の上面部(14u)と下向延長部(14s)が適合し、
これにより、ソーラーパネル等の面状物品の縁部を前記ハゼ部挟持部材(10, 10)の載置部(14, 14)と押え部材(50)との間で挟持され、スライド部材(40)の下方から載置部(14, 14)の溝条部(14m)を挿通する螺子により固定されることを特徴とするハゼ式折板屋根用の面状物品固定金具。
【請求項４】
ハゼ部挟持部材(10, 10)の長手方向長さを約１５０ｍｍから３００ｍｍの範囲内としたことを特等とする請求項１乃至３の何れか１項に記載のハゼ式折板屋根用の面状物品固定金具。
【請求項５】
前記ハゼ部挟持部材(10, 10)の基礎部(11, 11)の裏面のハゼ式折板屋根との接合面に防水シール材を設けたことを特徴とする請求項１乃至４の何れか１項に記載のハゼ式折板屋根用の面状物品固定金具。
【発明の詳細な説明】
【技術分野】
【０００１】
本発明は、ハゼ式折板屋根上にソーラーパネル等の面状物品を取り付け、固定するために使用する固定金具に関するものである。
【背景技術】
【０００２】
従来から折板屋根としては、ハゼ継ぎ式、折板重ね式、折板接合式等各種のタイプのものがあるが、本発明においては、凹凸状の折板屋根の突条部の頂部にハゼ部が設けられているタイプのハゼ式折板屋根上にソーラーパネル等の面状物品を設置するための固定金具に関するものであり、従来のものとしては、本願出願人が先に提案した下記特許文献に記載のものを挙げることができる。
【０００３】
この従来の固定金具は、固定金具の点による支持を線による支持に代え、異なるサイズの面状物品にも対応できるようにしたものである。
【０００４】
その概略の構成は、ソーラーパネル等の面状物品をハゼ式折板屋根上に固定する固定金具であって、折板屋根の突条部とハゼ部を挟持する左右一対の長尺状のハゼ部挟持部材と、その上端に固定され、ハゼ部挟持部材の長手方向にその位置を変更できる中間固定部材と、この中間固定部材の上方に位置する面状物品の縁部を押圧、固定する押え部材とから成るものである。
【０００５】
上記中間固定部材の両側側縁部には、ハゼ部挟持部材の上端の載置部の両側縁部を抱持できる抱持部が形成され、ハゼ部挟持部材の長手方向に摺動可能である。
押え部材と中間固定部材とを螺子によって締着して、押え部材が面状物品の縁部を押圧し、面状物品が押え部材とはぜ部挟持部材との間で固定されるのである。
【先行技術文献】
【特許文献】
【０００６】
【特許文献１】特開２０１２−１６７４９８号公報
【発明の概要】
【発明が解決しようとする課題】
【０００７】
上記従来の固定金具においては、そのハゼ部挟持部材として長尺状のものを使用し、このハゼ部挟持部材は、面状物品が並列されて設置される折板屋根の流れ方向のほぼ全体に渡り、その折板屋根の突条部に載置され固定され、面状物品を支持するに際して、従来の点により支持から線又は面による支持へと改良したものであった。
【０００８】
しかしながら、現実の施工を繰り返す内に、このハゼ部挟持部材が面状物品の取付範囲の流れ方向の全体に渡り設置する必要性は少ないことが判明した。
即ち、このハゼ部挟持部材は、面状物品の流れ方向設置範囲の全体でなく、その支持部の適宜範囲のみであっても、折板屋根への荷重負担は軽減されうることが判明したのである。
【０００９】
そこで、本発明においては、従来のように、面状物品を支持する折板屋根の流れ方向の全体に渡りハゼ部挟持部材を設けるのでなく、面状物品の支持部分の適宜範囲にのみハゼ部挟持部材を設け、折板屋根への荷重負担を抑制することをその第一の課題としている。
また、そのための固定金具の軽量化、固定金具の構成部材の簡素化、組み付けの容易化、更には固定金具の構成部材の汎用化もその課題とするものである。
【課題を解決するための手段】
【００１０】
上記課題を解決するために、本発明の第１のものは、ソーラーパネル等の面状物品をハゼ式折板屋根上に取り付け固定するための固定金具であって、折板屋根の突条部及びハゼ部を両側から挟持する左右一対のハゼ部挟持部材と、これら左右一対のハゼ部挟持部材の上端部で、ハゼ部挟持部材の長手方向にその固定位置を変更できるスライド部材と、このスライド部材の上方に位置する面状物品の縁部を押圧、固定する押え部材とからなり、前記それぞれのハゼ部挟持部材は、その下端の折板屋根の突条部に沿うように接合する基礎部と、この基礎部から上方に延長して折板屋根のハゼ部を抱持するハゼ部抱持部と、このハゼ部抱持部から上方に延長する起立部と、この起立部の上端に設けられた載置部とから成り、前記起立部同士を接合し、螺子等の締着手段によってこれら左右のハゼ部挟持部材が相互に締着されて折板屋根に取り付け、固定され、これにより、前記載置部は、上方開口の横断面略コ字形状を成し、その両側縁が内側方向に折曲して延長する上面部を形成し、これら上面部の間で長手方向に溝条部が形成され、スライド部材は、前記載置部の内部に配置される下方部材と載置部の上面に位置する上方部材とから成り、これら下方部材と上方部材には前記載置部の溝条部を挿通するように配置された螺子が挿通しており、これにより、ソーラーパネル等の面状物品の縁部を前記ハゼ部挟持部材の載置部に載置し、前記スライド部材の下方部材と上方部材を挿通する螺子によって押え部材を締着することにより、面状物品の縁部がハゼ部挟持部材の載置部と押え部材との間で挟持され固定されることを特徴とするハゼ式折板屋根用の面状物品固定金具である。
【００１１】
本発明の第２のものは、上記第１の発明において、前記ハゼ部挟持部材の載置部の上面部の両側縁が更に下方に折曲してそれぞれ下向延長部を形成し、前記スライド部材の下方部材は、上方開口の横断面略コ字形状を有し、両側の起立部が前記載置部の上面部に当接し、前記スライド部材の上方部材は、下向き開口の横断面略コ字形状を有し、この上方部材の両側面部は、前記ハゼ部挟持部の長手方向と直交する方向に配置され、且つ、上方部材の両側面部の下縁にはそれぞれ２つの切欠部を設け、これらの切欠部がハゼ部挟持部の載置部の上面部と側面部と下向延長部に適合することを特徴とするハゼ式折板屋根用の面状物品固定金具である。
【００１２】
本発明の第３のものは、ソーラーパネル等の面状物品をハゼ式折板屋根上に取り付け固定するための固定金具であって、折板屋根の突条部及びハゼ部を両側から挟持する左右一対のハゼ部挟持部材と、これら左右一対のハゼ部挟持部材の上端で、ハゼ部挟持部材の長手方向にその固定位置を変更できるスライド部材と、このスライド部材の上方に位置する面状物品の縁部を押圧、固定する押え部材とからなり、前記それぞれのハゼ部挟持部材は、その下端の折板屋根の突条部に沿うように接合する基礎部と、この基礎部から上方に延長して折板屋根のハゼ部を抱持するハゼ部抱持部と、このハゼ部抱持部から上方に延長する起立部と、この起立部の上端に設けられた載置部とから成り、前記起立部同士を接合し、螺子等の締着手段によってこれら左右のハゼ部挟持部材が相互に締着されて折板屋根に取り付け、固定され、これにより、前記載置部は、上方開口の横断面略コ字形状を成し、その両側縁は内側方向に折曲して延長する上面部を形成し、更にこれら上面部の両側縁が下方に延長する下向延長部が形成され、上面長手方向に溝条部が形成され、スライド部材は、下向き開口の横断面略コ字形状を有し、このスライド部材の両側面部は、前記ハゼ部挟持部材の長手方向と直交する方向に配置され、且つ、これら両側面部の左右両側の縦方向の両側縁にはそれぞれ切欠部を設け、これらの切欠部に前記ハゼ部挟持部材の載置部の上面部と下向延長部が適合し、これにより、ソーラーパネル等の面状物品の縁部を前記ハゼ部挟持部材の載置部と押え部材との間で挟持され、スライド部材の下方から載置部の溝条部を挿通する螺子により固定されることを特徴とするハゼ式折板屋根用の面状物品固定金具である。
【００１３】
本発明の第４のものは、上記何れかの発明において、ハゼ部挟持部材の長手方向長さを約１５０ｍｍから３００ｍｍの範囲内としたことを特等とするハゼ式折板屋根用の面状物品固定金具である。
【００１４】
本発明の第５のものは、上記何れかの発明において、前記ハゼ部挟持部材の基礎部の裏面のハゼ式折板屋根との接合面に防水シール材を設けたことを特徴とするハゼ式折板屋根用の面状物品固定金具である。
【発明の効果】
【００１５】
本発明の第１のものにおいては、ハゼ部挟持部材の上端の載置部が、上方開口の横断面略コ字形状を有し、その両側縁が内側方向に折曲して延長する上面部を有し、これら上面部の間で長手方向に溝条部が形成されているため、スライド部材の下方部材は、その載置部の内部に位置し、スライド部材の上方部材は載置部の上面部に位置して、これらの下方部材と上方部材とが螺子によって挿通されており、これらの上方部材と下方部材とは載置部の長手方向に容易に移動可能なものとなる。
また、これら下方部材と上方部材とを下方から挿通する螺子を前記押え部材と締着することにより、押え部材とハゼ部挟持部材の載置部との間で簡単に面状物品の縁部を固定することができる。
【００１６】
本発明の第２のものにおいては、ハゼ部挟持部材の載置部、及び、スライド部材の構成をより限定したものである。
即ち、ハゼ部挟持部材の載置部の上面部の両側縁を更に下方に折曲してそれぞれ下向延長部を形成し、スライド部材の下方部材は、上方開口の横断面略コ字形状を有し、両側の起立部が前記載置部の溝条部の両側の上面部に当接し、前記スライド部材の上方部材は、下向き開口の横断面略コ字形状を有し、この上方部材の両側面部は、前記ハゼ部挟持部材の長手方向と直交する方向に配置され、且つ、上方部材の両側面部の下縁にはそれぞれ２つの切欠部を設け、これらの切欠部がハゼ部挟持部材の載置部の上面部と側面部と下向延長部に適合するようにしたものである。
【００１７】
これにより、スライド部材の上方部材の下縁に設けた切欠部が載置部の溝条部の両側の上面部の部分（正確には、側面部と上面部と下向延長部）に適合するために、載置部の長手方向にスライドさせる際に非常に便利なものとなる。
また、上記のように、これらの切欠部は、載置部の下向延長部等に嵌り込み、施工時には螺子の締着に際し回転防止機能を発揮する。
尚、この第１及び第２の発明は、並列されたソーラーパネル等の面状物品の端部に位置する面状物品の縁部を固定するための固定金具を念頭においているが、隣接するソーラーパネルの間に配置する固定金具もその範囲に含まれている。
【００１８】
本発明の第３のものは、上記第１及び第２のものと異なり、並列された面状物品同士の間に配置される固定金具を念頭においたものであるが、上記端部を固定する固定金具もその範囲に含まれるものである。
この第３の発明においては、スライド部材の構成が上記第２の発明と異なる。
即ち、このスライド部材は、下向き開口の横断面略コ字形状を有し、このスライド部材の両側面部は、前記ハゼ部挟持部材の長手方向と直交する方向に配置され、且つ、これら両側面部の左右両側の縦方向の両側縁にはそれぞれ切欠部を設け、これらの切欠部に前記ハゼ部挟持部材の載置部の上面部と下向延長部が適合するのである。
従って、この発明においては、スライド部材は、上記発明のようにツーピースでなく、ワンピースのものからなり、両側縁に設けられた切欠部がハゼ部挟持部材の載置部の上面部と下向延長部に適合するために、これらの切欠部が載置部の長手方向の移行に際してガイドとなるのである。
【００１９】
本発明の第４のものにおいては、上記のそれぞれの発明において、ハゼ部挟持部材の長手方向長さを１５０ｍｍから３００ｍｍ程度の範囲内とし、その長手方向長さを所定長さの範囲に限定したものである。
この範囲内のハゼ部挟持部材として実施することにより、面状物品の屋根部への荷重負担が十分に保障されるのである。
【００２０】
本発明の第５のものにおいては、上記のそれぞれの発明において特定された固定金具において、固定金具の折板屋根との接合面に、防水シール材を設けたことを特徴とするものであり、これにより、接合部と折板屋根との螺子等の固定手段による固定に際して、防水効果をより発揮させることができるのである。
【図面の簡単な説明】
【００２１】
【図１】本発明に係る固定金具を用いてソーラーパネルをハゼ式折板屋根上に列設した状態を示す説明図である。
【図２】本発明の実施形態に係る固定金具を構成する構成部材を図示しており、その（Ａ）が端部固定金具のスライド部材と押え部材の分解図を示し、その（Ｂ）が中間部固定部材のスライド部材と押え部材の分解図を示し、その（Ｃ）が固定金具のハゼ部挟持部材の斜視図である。
【図３】本発明に係るハゼ部挟持部材の横断面形状を図示しており、その（Ａ）が丸型ハゼ及び角型ハゼに対応できるタイプ、その（Ｂ）が角型ハゼに対応できるタイプのものを図示している。
【図４】図２（Ａ）に示したスライド部材の下方部材の詳細を図示しており、その（Ａ）が平面図、その（Ｂ）が正面図、その（Ｃ）が側面図である。
【図５】図２（Ａ）に示したスライド部材の上方部材の詳細を図示しており、その（Ａ）が平面図、その（Ｂ）が正面図、その（Ｃ）が側面図である。
【図６】図２（Ａ）に示した押え部材の詳細を図示したものであり、その（Ａ）が平面図、その（Ｂ）が背面図、その（Ｃ）が側面図である。
【図７】図２（Ｂ）に示したスライド部材の詳細を図示したものであり、その（Ａ）が平面図、その（Ｂ）が正面図、その（Ｃ）が側面図、その（Ｄ）が背面図である。
【図８】図２（Ｂ）に示した押え部材の詳細を図示したものであり、その（Ａ）が平面図、その（Ｂ）が正面図、その（Ｃ）が側面図である。
【発明を実施するための形態】
【００２２】
以下、添付の図面と共に本発明の実施形態について説明する。
図１は、本発明に係る固定金具を用いてソーラーパネル（太陽電池モジュール）の２枚をハゼ式折板屋根の流れ方向に列設した状態を示す説明図である。
勿論、これらのソーラーパネルは、屋根の流れ方向に３つ以上、及び、屋根の流れ方向と直交する方向に２以上縦横に複数列並列させて設置することができるものである。
【００２３】
図１においては、理解容易化のために、ソーラーパネルはその枠体部のみを明確に図示し、その中央部分は透明状態に図示している。
この図から良く解る通り、ソーラーパネルＳは、ハゼ式折板屋根Ｒの突条部Ｔ及びハゼ部Ｈに載置された固定金具Ａ及び固定金具Ｂにより固定され設置される。
【００２４】
固定金具Ａは、列設されるソーラーパネルＳの端部に位置するソーラーパネルＳの端部の縁部Ｅを支持し固定する。
他方、固定金具Ｂは、隣接するソーラーパネルＳ同士の間に配置され、両方のソーラーパネルＳの端部を支持し固定できるものである。
【００２５】
以下、固定金具Ａを端部固定金具、及び、固定金具Ｂを中間部固定金具と呼ぶ場合もある。
これらの二種類の固定金具Ａ、Ｂにより、面状物品の縁部が固定される。
基本的には、これら固定金具Ａ、Ｂにおいては、その上方のスライド部材及び押え部材の形態が異なり、その下端のハゼ部挟持部材は共通の同じ構成のものを使用できる。
【００２６】
即ち、例えば、端部固定金具Ａにおける押え部材としては、横断面略Ｌ型のものを使用し、中間部固定金具Ｂにおける押え部材としては、板状のプレート部材を使用することができる。
尚、ハゼ式折板屋根Ｒとしては、丸ハゼや角ハゼの各種のものがあるが、これらの何れのタイプのハゼ式折板屋根にも本発明に係る固定金具は適用することができる。
【００２７】
図２は、本発明の実施形態に係る固定金具を構成する構成部材を図示しており、その（Ａ）が端部固定金具のスライド部材と押え部材の分解図を示し、その（Ｂ）が中間部固定部材のスライド部材と押え部材の分解図を示し、その（Ｃ）が固定金具のハゼ部挟持部材の斜視図を示している。
【００２８】
先ず、図２（Ｃ）に図示したハゼ部挟持部材１０、１０は、端部固定金具及び中間部固定金具において共通のものである。
即ち、このハゼ部挟持部材１０、１０は、それぞれ、その下端の基礎部１１と、その上のハゼ式折板屋根のハゼ部を抱持するハゼ部抱持部１２と、このハゼ部抱持部１２から上方に起立する起立部１３と、その上に形成された載置部１４とから成る。
【００２９】
このようにハゼ部挟持部材１０、１０は、左右一対の対称形の２つのものを合体し固定して形成したものからなり、その中間部の起立部１３、１３同士をボルト・ナットにより締着して形成される。
またこれにより、このハゼ部挟持部材１０、１０の基礎部１１１、１１は、セルフドリリング・タッピングネジ等によりハゼ式折板屋根上に固定される必要はない。
【００３０】
このハゼ部挟持部材１０、１０の上端の載置部１４、１４の形態（合体された形態）は以下の通りである。
この載置部１４、１４は、上方開口の横断面略コ字形状を有し、この両側の起立部の両側縁部が内向き水平方向に折曲されて上面部１４ｕ、１４ｕを成し、この上面部１４ｕ、１４ｕの両側縁部が更に下方に折曲して下向延長部１４ｓ、１４ｓを形成している。
【００３１】
このような形態とすることにより、この載置部１４、１４には、その中央部長手方向に溝条部１４ｍがその端から端まで形成されることとなる。
つまり、この載置部１４の上面には、上面部１４ｕ、１４ｕが２本のレールのように形成され、これにより後に説明するスライド部材及び押え部材の組み付けが便利となるのである。
【００３２】
図２（Ａ）に図示したのは、端部固定金具に用いるスライド部材と押え部材を図示している。
スライド部材２０は、ハゼ部挟持部材１０、１０の載置部１４、１４の内部に配置される下方部材２０ｓと、載置部１４、１４の上面に位置する上方部材２０ｕとから成る。
【００３３】
このスライド部材２０の下方部材２０ｓは、横断面形状が上方開口の略コ字形状を有し、その両側の起立部２０ｋ、２０ｋの上端部は、ハゼ部挟持部材１０、１０の載置部１４、１４の上面部１４ｕ、１４ｕの裏面に当接する。
【００３４】
他方、スライド部材２０の上方部材２０ｕは、やはり下方開口の横断面略コ字形状のものからなり、この両側面部２０ｖ、２０ｖは、ハゼ部挟持部材１０の長手方向と直交する方向に配置され、載置部１４、１４の上面部１４ｕ、１４ｕに載置される。
また、この上方部材２０ｕの両側面部２０ｖ、２０ｖの下端縁部には、それぞれ２個の切欠部２０ｊ、２０ｊが設けられ、これらの切欠部２０ｊ、２０ｊがハゼ部挟持部材１０１０の載置部１４、１４の上面部１４ｕ、１４ｕと適合する。
【００３５】
より詳しくは、これらの切欠部２０ｊ、２０ｊは、載置部１４の側面部と上面部１４ｕと下向延長部１４ｓのコ字形状部分に嵌り込むのである。
これにより、スライド部材２０の上方部材２０ｕが載置部１４、１４の２つの上面部１４ｕ、１４ｕに沿ってその長手方向にガイドされ移動させることができるのである。
【００３６】
上記下方部材２０ｓの略中央部には螺子挿通孔２０ｈが設けられ、また上方部材２０ｕの側にもその中央部に螺子挿通孔２０ｉが設けられ、下からボルトＢが挿通するように構成されている。後に説明する上端の押え部材３０と相互に螺着され、ソーラーパネルの縁部を固定することができる構成である。
【００３７】
押え部材３０は、横断面が略Ｌ字形状を有するものであって、その上面部３０ｕの略中央部には螺子挿通孔３０ｈが形成されたものである。
以上の構成により、ハゼ部挟持部材１０、１０の載置部１４、１４内にスライド部材２０の下方部材２０ｓを配置し、その上方部材２０ｕを載置部１４、１４の上面部１４ｕ、１４ｕに適合させて配置し、下方からボルトＢをそれぞれの螺子挿通孔２０ｈ、２０ｉに挿通させ、ソーラーパネルは載置部１４上に載置させ、このソーラーパネルの縁部の角部に押え部材３０を接合して、前記ボルトＢのネジ部端部からナット等を締着することにより、ソーラーパネルをハゼ部挟持部材１０、１０上に固定することができる。
【００３８】
次に、中間固定金具を構成するスライド部材４０と押え部材５０を図２（Ｂ）が図示している。
このスライド部材４０と押え部材５０は、隣接するソーラーパネル同士の間に配置されてこれら両ソーラーパネルの両縁部を共に固定することができるものである。
【００３９】
ここで使用するスライド部材４０は、上記端部固定金具に使用したものと異なり、一つの部材、つまりワンピースから成る。
このスライド部材４０は、下方開口の横断面略コ字形状を有し、上面部４０ｕの両側から下向きに延長する両側面部４０ｓ、４０ｓが設けられ、この両側面部４０ｓ、４０ｓはハゼ部挟持部材１０の長手方向と直交する方向に配置される。
【００４０】
そして、上面部４０ｕの略中央部には、螺子挿通孔４０ｈが設けられ、両側面部４０ｓ、４０ｓの両側の縦方向の側縁部に切欠部４０ｋ、４０ｋが設けられている。
この切欠部４０ｋがハゼ部挟持部材１０の載置部１４の上面部１４ｕと下向延長部１４ｓと適合するのである。
【００４１】
即ち、この切欠部４０ｋ、４０ｋを、ハゼ部挟持部材１０、１０の載置部１４、１４の端部から上面部１４ｕ、１４ｕと下向延長部１４ｓに適合させて、載置部１４、１４の内部にスライド部材４０の切欠部４０ｋ、４０ｋを含む下方部分を挿入させて行くのである。
これにより、切欠部４０ｋ、４０ｋを含む下方部分は、載置部１４、１４の内部に位置し、それよりも上方の部分は、載置部１４、１４の上方の外部に位置することとなる。
【００４２】
更に換言すると、この切欠部１４ｋ、１４ｋとの間の部分が載置部１４、１４の溝条部１４ｍを挿通することにより、これらの切欠部１４ｋ、１４ｋの上方部分が載置部１４、１４の上面部１４ｕ、１４ｕの上に位置することになるのである。
【００４３】
そして、押え部材５０は、その略中央部に螺子挿通孔５０ｈを有する略矩形形状の板状体のものからなり、これらの両側縁部５０ｓ、５０ｓが隣接するソーラーパネルの両縁部を押圧することができるのである。
以上の構成により、ハゼ部挟持部材１０、１０上に列設・載置された２枚のパネルの間にスライド部材４０が配置され、その下方からボルトＢが挿通され、パネルの両縁部を共に押圧するように押え部材５０を配置し、前記ボルトＢのネジ部を押え部材５０の螺子挿通孔５０ｈに挿通し、ナット等を締着して両ソーラーパネルの両縁部を共に固定することができるのである。
【００４４】
本発明においては、ハゼ部挟持部材１０、１０が適宜長さを有しており、即ち、本実施形態では、約１５０ｍｍ程度のものを使用しているが、その長手方向に所定長さを有していることから、パネルの配置に際して、厳密にその支持位置を特定する必要がなく、おおよその位置決めで問題ないこととなる。
【００４５】
即ち、このハゼ部挟持部材１０、１０は、所定の長さを有していることから、スライド部材及び押え部材の位置決めは、その後に適宜その長手方向に移動させて調整することができることとなるからである。
尚、このハゼ部挟持部材１０の長手方向長さは、屋根への荷重負担や取り付け上の便宜のために、約１５０ｍｍから３００ｍｍ程度の範囲内が好ましい。
【００４６】
図３は、本発明に係るハゼ部挟持部材の横断面形状を図示しており、その（Ａ）が丸型ハゼ及び角型ハゼに対応できるタイプ、その（Ｂ）が角型ハゼに対応できるタイプのものを図示している。
図３（Ａ）に図示したものが、上記図２（Ｃ）に図示したものの横断面図である。
【００４７】
図３（Ｂ）に図示したものが、角型ハゼを有するハゼ式折板屋根に適合するタイプのものであって、ハゼ部抱持部１２、１２の形態が上記（Ａ）図に図示したものと少し異なるものである。
これらのハゼ部挟持部材１０、１０は、その起立部１３、１３に設けた螺子挿通孔１３ｈ、１３ｈにボルト・ナット等の締着手段を用いて相互に定着され、固定される。
【００４８】
また、基礎部１１、１１に関し、本発明に係る固定金具においては、このハゼ部挟持部１０、１０同士が螺子により締着されて、ハゼ式折板屋根のハゼ部に固定されるために、これら基礎部１１、１１を螺子等によって締着固定する必要はない。
【００４９】
図４は、図２（Ａ）において既に説明したスライド部材の下方部材の詳細を図示しており、その（Ａ）が平面図、その（Ｂ）が正面図、その（Ｃ）が側面図である。
この下方部材２０ｓは、平面視において矩形形状でなく、その上辺と下辺が略３０度傾斜して設けられている。
このように、スライド部材の下方部材２０ｓは、上方開口の横断面略コ字形状であって、平面視は、必ずしも矩形形状でなくともよい。
このような構成により、両側の起立部２０ｋ、２０ｋがハゼ部挟持部材の載置部の両上面部の裏面に当接することができるのである。
また、上記のように上辺と下辺とを３０度傾斜させたのは、この下方部材２０ｓを載置部の溝条部の上から（その端部からでなく）挿入できるようにし、挿入後回転させて載置部の内部に配置させることを容易にしたものである。
【００５０】
図５は、図２（Ａ）において既に説明したスライド部材の上方部材の詳細を図示しており、その（Ａ）が平面図、その（Ｂ）が正面図、その（Ｃ）が側面図である。
この図面から良く解る通り、この上方部材２０ｕは、下向き開口の横断面略コ字形状（図５（Ｃ）参照）を有し、その両側面部２０ｖ、２０ｖの下端縁部には切欠部２０ｊ、２０ｊを有している。
【００５１】
これらの切欠部２０ｊ、２０ｊが、ハゼ部挟持部材の載置部の溝条部の両側の上面部に適合するのである。
図６は、図２（Ａ）において既に説明した押え部材の詳細を図示したものであり、その（Ａ）が平面図、その（Ｂ）が背面図、その（Ｃ）が側面図である。
【００５２】
この押え部材３０は、横断面略Ｌ字形状（図６（Ｃ）参照）を有し、その上面部３０ｕの略中央部には螺子挿通孔３０ｈが設けられている。
図６（Ｃ）において、上面部３０ｕの図中右側の側縁部３０ｅの部分がソーラーパネルの縁部を押圧することができる。
上記側縁部３０ｅの隅角部は、下方に折曲されて爪部のように形成されており、これにより太陽光モジュールのフレームに食い込み導電性を確保できる。
また、この押え部材の上面部３０ｕの部分には、その下方方向に突出する２つの突起部が設けられている。これらの突起部は、位置決めガイド機能を発揮する
【００５３】
図７は、上記図２（Ｂ）において既に説明したスライド部材の詳細を図示したものであり、その（Ａ）が平面図、その（Ｂ）が正面図、その（Ｃ）が側面図、その（Ｄ）が背面図である。
これらの図から良く解る通り、このスライド部材４０は、下向き開口の横断面略コ字形状（図７（Ｃ）参照）を有し、その上面部４０ｕの略中央部には螺子挿通孔４０ｈが形成され、その両側（図７（Ａ）では上側と下側）には下方に延長する両側面部４０ｓ、４０ｓが設けられ、この両側面部４０ｓ、４０ｓは、ハゼ部挟持部材の長手方向と直交する方向に配置される。
【００５４】
この両側面部４０ｓ、４０ｓの両側（図７（Ｂ）と（Ｄ）参照）における左右両側縁部に、切欠部４０ｋ、４０ｋを設けている。
これら全部で４ヶ所の切欠部４０ｋは、その正面側及び背面側で、左右の切欠部の形状を少し異ならせ、これらの切欠部４０ｋに適合するハゼ部挟持部の載置部の上面部と下向延長部の形状に適切に適合するように形成している。
【００５５】
従って、これらの切欠部４０ｋを載置部の上面部と下向延長部に適合した際に、スライド部材４０が横方向（水平方向）にガタ付かないように構成している。
つまり、ガイド部材４０をハゼ部挟持部材の載置部において滑らかに移動できるように構成しているのである。
更に、この構成により、スライド部材と押え部材を螺子により締め付ける際に、回り止め機能をも発揮するのである。
【００５６】
図８は、図２（Ｂ）において既に説明した押え部材の詳細を図示したものであり、その（Ａ）が平面図、その（Ｂ）が正面図、その（Ｃ）が側面図である。
この押え部材５０は、平面視略矩形形状を有し、その略中央部には螺子挿通孔５０ｈを有する。
【００５７】
この押え部材５０の両側には下方に折曲する折曲部５０ｆ、５０ｆが形成されているが、この折曲部５０ｆ、５０ｆは、並列されるソーラーパネル同士の間隔に合致する幅を有しており、ソーラーパネル同士の間隔を規制できるものであり、従って、この幅は、前記スライド部材４０の上面部４０
ｕの横幅（側面部４０ｓ同士の幅）と同一である。
【００５８】
そして、この押え部材５０の図８（Ｃ）の両側の側縁部５０ｓ、５０ｓがソーラーパネルの縁部を押圧することができるのである。
このように、この押え部材５０は、列設されたソーラーパネルの間で、隣り合うソーラーパネルの両縁部を同時に共に押圧することができることとなるのである。
尚、この押え部材５０のそれぞれの側縁部５０ｓの両隅角部は、下方に折曲され爪部を形成している。この爪部の構成は、図６に示した押え部材と同様で、太陽電池モジュールの枠部に食い込み、導電性（アース）を確保できるのである。
【００５９】
以上、本発明の実施形態について説明したが、本発明においては、下記の通りその形態を種々設計変更することができる。
本発明に係る固定金具においては、その下端のハゼ部挟持部材と、スライド部材と、その上端の押え部材から構成されている。
【００６０】
そして、これらの構成部材は、特許請求の範囲内において、適宜その形態を変更することができる。
例えば、スライド部材のおいては、これをツーピースのものとして、或いはワンピースのものとして実施することができ、押え部材においても、ソーラーパネルの縁部を押圧固定することのできる形態として横断面Ｌ字型、或いは平面視矩形形状の板状体等を利用することができる。
【００６１】
ハゼ部挟持部材は、左右一対のものを使用でき、その構成は、最下部の基礎部と、その上のハゼ部抱持部と、その上の起立部と再上端の載置部とから構成され、当該載置部の横断面としては、略コ字形状を有し、その両側縁が内側方向に折曲して延長する上面部を有するもの、更にはこれら上面部から下方に折曲して延長する下向延長部を備える形態のものを使用することができる。
【００６２】
このような構成として、載置部の長手方向に溝条部がその端部から端部まで設けられ、この溝条部を利用して、スライド部材をその長手方向に適切に移動できるものとすることが容易となり、スライド部材の構成も適宜自由に設定することができることとなる。
そして、下端のハゼ部挟持部材の長手方向長さも適宜長さに特定して、ソーラーパネルの荷重を折板屋根の支持部分で良好に受けることができるように構成している。
【００６３】
本発明においては、一対のハゼ部挟持部材、スライド部材及び押え部材の組み合わせは自由に変更して行うことができる。
また、ハゼ部挟持部材の基礎部の折板屋根との接合面には、防水シール材を接合して設けることができる。
この防水シール材としては、ブチルシール、シリコンコーキング、更にはＥＰＤＭ等を使用することができる。これにより当該基礎部からの雨水等の侵入を防止できる。
【００６４】
また、上記ハゼ部挟持部の基礎部は折板屋根に、例えば防水パッキン付きのドリリンング・タッピングネジ等を用いて螺着固定されるのであるが、このネジ頭部に更に防水キャップを取り付けその防水効果を３重にして（上記防水シール材、ネジの防水パッキン及び防水キャップ）、より向上させることも可能である。
【００６５】
以上、本発明は、ハゼ式折板屋根上に適宜長さの短い短尺のハゼ部挟持部材を用いて、ソーラーパネル等の面状物品から受ける重量負荷を良好に受け止めることができ、スライド部材の取り付け位置も適宜自由に設定することができることにより、ソーラーパネルの位置決めが容易となり、異なるサイズの面上物品にも適応することも可能となり、その軽量化にも寄与し、極めて著大な効果を発揮する固定金具を提供することができたものである。  
【符号の説明】
【００６６】
１０  ハゼ部挟持部材
１１  基礎部
１２  ハゼ部抱持部
１３  起立部
１４  載置部
１４ｕ  上面部
１４ｓ  下向延長部
１４ｍ  溝条部
２０  スライド部材
２０ｕ  上方部材
２０ｓ  下方部材
２０ｈ  ２０ｉ  螺子挿通孔
２０ｋ  起立部
２０ｖ  側面部
２０ｊ  切欠部
３０  押え部材
３０ｕ  上面部
３０ｈ  螺子挿通孔
４０  スライド部材  
４０ｈ  螺子挿通孔
４０ｋ  切欠部
４０ｓ  側面部
４０ｕ  上面部
５０  押え部材
５０ｈ  螺子挿通孔
５０ｓ  側縁部
【図１】
2015021376.tif 000003
【図２】
2015021376.tif 000004
【図３】
2015021376.tif 000005
【図４】
2015021376.tif 000006
【図５】
2015021376.tif 000007
【図６】
2015021376.tif 000008
【図７】
2015021376.tif 000009
【図８】
2015021376.tif 000010